(57)【特許請求の範囲】
【請求項１】
軟質の包装袋本体と、この包装袋本体の頂部の幅方向のいずれか一方の側端部寄りから斜め上向きに突設した注出ノズルと、からなる非自立形の軟質包装袋；および
上端部が開放されていて、液状の被包装物が充填される前記軟質包装袋を収容保持できる丸底筒状で自立形の外容器；からなる複合型容器において、
前記軟質包装袋と前記外容器とは、少なくとも、前記軟質包装袋の注出ノズル直下の側端縁を含むその近傍の位置において、当該軟質包装袋の外面と前記外容器の一部に入れた切込みよって形成された起伏可能なバタフライ片の内面とが接着されていることを特徴とする液状物包装用複合型容器。
【請求項２】
前記複合型容器の下部位置において、前記外容器の内径が、前記軟質包装袋に液状物を充填してなる包装体の内径よりも小さいことを特徴とする請求項１に記載の液状物包装用複合型容器。
【請求項３】
前記の軟質包装袋と外容器とは、軟質包装袋上部の幅方向中央より反注出ノズル側の位置において、当該軟質包装袋の少なくとも一方の外面と前記外容器の内面とが接着されていることを特徴とする請求項１または２に記載の液状物包装用複合型容器。
【請求項４】
前記の軟質包装袋と外容器とは、軟質包装袋上部の反注出ノズル側の側端部位置において、当該軟質包装袋の少なくとも一方の外面と前記外容器の内面とが接着されていることを特徴とする請求項１〜３のいずれか１項に記載の液状物包装用複合型容器。
【請求項５】
前記バタフライ片は、前記外容器の該当位置の一辺を除く他の３辺に入れた切り込みによって形成された舌片状であることを特徴とする請求項１〜４のいずれか１項に記載の液状物包装用複合型容器。
【請求項６】
前記の軟質包装袋と外容器との接着は、それぞれの接着位置において直接またはバタフライ片を介在させた態様のいずれかであることを特徴とする請求項１〜５のいずれか１項に記載の液状物包装用複合型容器。
【請求項７】
前記外容器の上部には、前記軟質包装袋頂部の前記注出ノズルの位置に、該注出ノズルに接してこれを両側面から挟むノズルピンチャーと、該ノズルピンチャーの外側にあって、当該ノズルピンチャーを介して上記注出ノズルの注出通路部分の締め付けおよび解放を可能にする板状の開閉蓋と、を設けてなることを特徴とする請求項１〜６のいずれか１項に記載の液状物包装用複合型容器。
【請求項８】
前記ノズルピンチャーは、平面形状が、前記注出ノズルの上縁部を挟み付ける水平サポート部と、前記注出ノズルの前記注出通路を横切るように挟む縦挟持部とからなる略Ｔ形であることを特徴とする請求項７に記載の液状物包装用複合型容器。
【請求項９】
前記開閉蓋は、前記外容器の上端部に起伏可能に軸支され、前記注出ノズルおよびノズルピンチャーを露出させたり、その中に格納させるものであり、かつ、下方に倒した時には前記ノズルピンチャーを挟み付けて前記注出通路の閉止を導き、一方、上方に起こした時には、前記注出通路の挟み付けを解放して開通させるものであることを特徴とする請求項７または８に記載の液状物包装用複合型容器。
【請求項１０】
軟質包装袋の本体と、この軟質包装袋の本体の頂部から斜め上向きに突設した注出ノズルからなる軟質包装袋、および該軟質包装袋の本体内に液状物を充填してなる非自立形の包装体を収容保持できるようにした丸底筒状での自立形の外容器からなる複合型容器における、前記包装体の収納保持の方法であって、
前記軟質包装袋と前記外容器とを、少なくとも、非自立形の前記包装体の注出ノズル直下の側端縁を含むその近傍の位置において、当該包装体の軟質包装袋の外面と前記外容器の一部に入れた切込みによって形成された起伏可能なバタフライ片の内面とを接着固定することにより、当該包装体を自立保持することを特徴とする液状物包装用複合型容器における包装体の収納保持方法。
【請求項１１】
前記の軟質包装袋と外容器とは、軟質包装袋上部の幅方向中央より反注出ノズル側の位置において、当該軟質包装袋の少なくとも一方の外面と前記外容器の内面とが接着されていることを特徴とする請求項１０に記載の液状物包装用複合型容器における包装体の収納保持方法。
【請求項１２】
前記の軟質包装袋と外容器とは、軟質包装袋上部の反注出ノズル側の側端部位置において、当該軟質包装袋の少なくとも一方の外面と前記外容器の内面とが接着されていることを特徴とする請求項１０または１１に記載の液状物包装用複合型容器における包装体の収納保持方法。
【請求項１３】
前記バタフライ片は、前記外容器の該当位置の一辺を除く他の３辺に入れた切り込みによって形成された舌片状であることを特徴とする請求項１０〜１２のいずれか１項に記載の液状物包装用複合型容器における包装体の収納保持方法。
【請求項１４】
前記の軟質包装袋と外容器との接着は、それぞれの接着位置において直接またはバタフライ片を介在させた態様のいずれかであることを特徴とする請求項１０〜１３のいずれか１項に記載の液状物包装用複合型容器における包装体の収納保持方法。
【発明の詳細な説明】
【技術分野】
【０００１】
この発明は、飲食物や医薬品、化粧品、各種の液体、粉状物、粒状物等を含むことのある液状物、粘稠物、その他の液状の被包装物を軟質の包装袋内に充填包装してなる包装体と、該軟質包装袋を収納保持するための自立型の外容器とからなる液状物包装用複合型容器および該複合型容器における包装体の収納保持の方法に関するものである。
【背景技術】
【０００２】
液状の被包装物を充填包装するための軟質のプラスチックフィルムからなる袋、即ち包装袋については、逆止タイプのフィルム状の注出ノズルを具える包装袋があり、特許文献１、２などに開示されている。
この逆止タイプの注出ノズルは、１枚のプラスチックフィルムを半折りまたは２枚のプラスチックフィルムを重ね合わせて形成されるものであって、袋内の液状被包装物の注出に際し、その注出量の体積相当量の空気（外気）が、包装袋内へ進入するのを自動的に阻止する機能を有するものである。
【０００３】
この注出ノズルは、袋内に充填した液状の被包装物を注出する際、包装袋本体自身が収縮ないしは潰れ変形することによって外気が逆流して袋内に入り込むのを防止し、また、被包装物（内容物）の注出の停止と同時に、被包装物による濡れによって注出ノズル内の注出通路を自動的に密閉して、包装袋内への外気の侵入を阻止する逆止機能（セルフシール逆止機能）を発揮することができる。従って、上記逆止機能を示す注出ノズルを具える包装袋内に、被包装物を充填包装してなる包装体は、該被包装物を注出するにあたって、当該被包装物の注出前、注出中および注出後のいずれにおいても、包装袋本体内への外気の侵入を防止することができる点に特徴がある。
【先行技術文献】
【特許文献】
【０００４】
【特許文献１】特開２００５−１５０２９号公報
【特許文献２】特開２００５−５９９５８号公報
【発明の概要】
【発明が解決しようとする課題】
【０００５】
特許文献１および２に記載された包装袋では、上記したように液状の被包装物の注出を停止する際に、包装袋を傾動姿勢から起立姿勢に復帰させると、注出ノズルの注出通路の内表面どうしが、液状の被包装物による濡れによって相互に密着して自動的に密閉されるが、この注出ノズルの閉止の時、該注出ノズル先端開口付近にある被包装物は、注出通路を通って包装袋本体内に逆流するものと、先端開口から外に押し出されるものに分かれることになる。その際、先端開口から外に押し出された被包装物は、十分に液切れ（落下）せずに、該開口に付着残留して流下したり、該開口の下端からたれ落ちたりして、包装袋およびその周囲を汚損するおそれがあった。
【０００６】
そこで出願人は先に、従来のこの種の包装袋が有する上述した問題点に鑑み、フィルム状の注出ノズルを、包装袋本体の頂部から斜め上方へ突出させて設けることで、従来技術のフィルム状注出ノズルのセルフシール逆止機能はそのままに、被包装物の注出を停止した際の、注出通路の先端開口における注出特性を阻害することなく、円滑な注出と注出量のより細かな調整が可能で、しかも、液切れ性が良く、液だれの発生を阻止することのできる包装袋を提案した。
【０００７】
ただし、この包装袋は、軟質のプラスチックフィルム製であることから、被包装物を充填包装した状態である包装体としては、定型性も自立性も有しないものであるため、この包装体を一定の使用形態にするには、自立性を有するような外容器内に収納および固定する必要がある。
【０００８】
しかし、外容器内に包装体を収納および固定する際、その両者の接着位置によっては、包装体の自由度が低くなり、前記したように注出ノズルから被包装物を注出した際に、包装袋本体が自由に収縮ないしは潰れ変形することができず、意図しない位置にシワ等が発生し、被包装物の吐出が阻害されると共に、注出ノズルのセルフシール逆止機能が有効に発揮できないおそれがある。そのため、外容器と包装体との接着位置およびその方法に工夫が求められていた。
【０００９】
そこで、この発明は、前記包装体に定型性および自立性を付与できることはもちろん、外容器が誤って倒伏したり、胴部に荷重がかかる等しても充填した被包装物の注出ノズルからの洩れ出しのおそれを有効に阻止することのできると共に、該注出ノズルのセルフシール逆止機能を有効に発揮することのできる液状物包装用複合型容器と該複合型容器における包装体の収納保持方法を提供するものである。
【課題を解決するための手段】
【００１０】
上記目的を実現するため、本発明は、軟質の包装袋本体と、この包装袋本体の頂部の幅方向のいずれか一方の側端部寄りから斜め上向きに突設した注出ノズルと、からなる非自立形の軟質包装袋；および
上端部が開放されていて、液状の被包装物が充填される前記軟質包装袋を収容保持できる丸底筒状で自立形の外容器；からなる複合型容器において、
前記軟質包装袋と前記外容器とは、少なくとも、前記軟質包装袋の注出ノズル直下の側端縁を含むその近傍の位置において、当該軟質包装袋の外面と前記外容器の一部に入れた切込みよって形成された起伏可能なバタフライ片の内面とが接着されていることを特徴とする液状物包装用複合型容器を提案する。
【００１１】
なお、本発明の液状物包装用複合型容器においては、
（１）前記複合型容器の下部位置において、前記外容器の内径が、前記軟質包装袋に液状物を充填してなる包装体の内径よりも小さいこと、
（２）前記の軟質包装袋と外容器とは、軟質包装袋上部の幅方向中央より反注出ノズル側の位置において、当該軟質包装袋の少なくとも一方の外面と前記外容器の内面とが接着されていること、
（３）前記の軟質包装袋と外容器とは、軟質包装袋上部の反注出ノズル側の側端部位置において、当該軟質包装袋の少なくとも一方の外面と前記外容器の内面とが接着されていること、
（４）前記バタフライ片は、前記外容器の該当位置の一辺を除く他の３辺に入れた切り込みによって形成された舌片状であること、
（５）前記の軟質包装袋と外容器との接着は、それぞれの接着位置において直接またはバタフライ片を介在させた態様のいずれかであること、
（６）前記外容器の上部には、前記軟質包装袋頂部の前記注出ノズルの位置に、該注出ノズルに接してこれを両側面から挟むノズルピンチャーと、該ノズルピンチャーの外側にあって、当該ノズルピンチャーを介して上記注出ノズルの注出通路部分の締め付けおよび解放を可能にする板状の開閉蓋と、を設けてなること、
（７）前記ノズルピンチャーは、平面形状が、前記注出ノズルの上縁部を挟み付ける水平サポート部と、前記注出ノズルの前記注出通路を横切るように挟む縦挟持部とからなる略Ｔ形であること、
（８）前記開閉蓋は、前記外容器の上端部に起伏可能に軸支され、前記注出ノズルおよびノズルピンチャーを露出させたり、その中に格納させるものであり、かつ、下方に倒した時には前記ノズルピンチャーを挟み付けて前記注出通路の閉止を導き、一方、上方に起こした時には、前記注出通路の挟み付けを解放して開通させるものであること、
がより好ましい解決手段となる。
【００１２】
また本発明は、軟質包装袋の本体と、この軟質包装袋の本体の頂部から斜め上向きに突設した注出ノズルからなる軟質包装袋、および該軟質包装袋の本体内に液状物を充填してなる非自立形の包装体を収容保持できるようにした丸底筒状での自立形の外容器からなる複合型容器における、前記包装体の収納保持の方法であって、
前記軟質包装袋と前記外容器とを、少なくとも、非自立形の前記包装体の注出ノズル直下の側端縁を含むその近傍の位置において、当該包装体の軟質包装袋の外面と前記外容器の一部に入れた切込みによって形成された起伏可能なバタフライ片の内面とを接着固定することにより、当該包装体を自立保持することを特徴とする液状物包装用複合型容器における包装体の収納保持方法を提案する。
【００１３】
なお、本発明の液状物包装用複合型容器における軟質包装袋の収納保持方法においては、
（１）前記の軟質包装袋と外容器とは、軟質包装袋上部の幅方向中央より反注出ノズル側の位置において、当該軟質包装袋の少なくとも一方の外面と前記外容器の内面とが接着されていること、
（２）前記の軟質包装袋と外容器とは、軟質包装袋上部の反注出ノズル側の側端部位置において、当該軟質包装袋の少なくとも一方の外面と前記外容器の内面とが接着されていること、
（３）前記バタフライ片は、前記外容器の該当位置の一辺を除く他の３辺に入れた切り込みによって形成された舌片状であること、
（４）前記の軟質包装袋と外容器との接着は、それぞれの接着位置において直接またはバタフライ片を介在させた態様のいずれかであること、
がより好ましい解決手段となる。
【発明の効果】
【００１４】
この発明の液状物包装用複合型容器（以下、単に「複合型容器」という。）によれば、軟質包装袋（以下、単に「包装袋」という。）の頂部に設けた注出ノズルの直下の側端縁を含むその近傍位置において、該包装袋（外面）と外容器（内面）とが接着固定されているため、例えば、前記包装袋内に充填した液状物を注出ノズルから吐出するために、複合型容器を注出ノズルの先端が下方を向くように傾動させたり、包装袋内の液状物を混合させるために複合型容器をシェイク等しても、注出ノズルが変形することがなく、吐出流が安定し、逆止機能の低下を阻止することができる。
また、本発明では、前記包装袋と外容器との接着位置を最小限にしたことで、注出ノズルから被包装物を注出した際の包装袋本体の収縮ないしは潰れ変形が円滑になり、逆止機能を有効に発揮させることができる。
【００１５】
なお、本発明の複合型容器では、その下部位置における外容器の内径を、包装袋内に液状物を充填した包装体の内径よりも小さくした場合には、包装体の下部が外容器内に隙間なく密着して、しっかりと固定されることになり、上記のように複合型容器を傾動させたり、シェイク等しても包装体がずれ落ちたり、移動することがないという効果が期待できる。
【００１６】
さらに、前記包装袋と外容器とを、注出ノズルの直下位置のみならず、該包装袋上部の幅方向中央よりも注出ノズルとは反対側に寄った位置や、前記注出ノズルとは反対側の側端位置において接着固定させた場合には、上記効果をさらに有効に発揮することができると共に、包装袋上部の折れ曲がりやシワの発生を抑制することができ、被包装物の注出ノズルに向かう流路が確保されて、被包装物を最後まで安定して吐出することができる。
【００１７】
また、前記の包装袋と外容器との接着においては、外容器の接着位置の一部に切り込みを入れて起伏可能なバタフライ片を設け、外容器内に押し込んだ該バタフライ片を介して、外容器と包装袋とを接着させるようにした場合には、両者の接着状態の自由度が高くなって、例えば、形態の異なる筒状の外容器と包装袋の平坦部分とを、被包装物の吐出や注出ノズルの逆止機能を阻害することなく接着することも可能である。
【００１８】
また、複合型容器上端部の、注出ノズルが位置している側に、該注出ノズルを両側面から挟むようにノズルピンチャー（Nozzle Pincher）を設けると共に、該ノズルピンチャーの締め付けおよび解放を可能にして注出通路の開閉を司る開閉蓋を設けたことにより、該開閉蓋によって注出ノズルの注出通路を簡単に閉止および開通させることができる。これにより、開閉蓋を閉止姿勢とすれば、注出ノズルの開封後であっても、包装袋内の液状の被包装物をシェイク等によって十分に混合させることができると共に、複合型容器が過って倒伏等しても、被包装物が注出ノズル先端から洩れ出すおそれがない。
【００１９】
なお、前記ノズルピンチャーを、注出ノズルの上端部分を挟む水平サポート部と、注出ノズルの注出通路を横切るように挟む縦挟持部とによって構成した場合には、注出ノズルが、その上端部および両側面からサポート（支持）されることになり、被包装物の注出時のみならず、注出前後においても注出ノズルの折れ曲がりを抑制することができ、とくに被包装物の注出時においては注出ノズルが上下左右に振れるのを抑制することができるため、被包装物の吐出方向性（指向性）を向上させることができる。
【００２０】
また、前記開閉蓋は、複合型容器上部に起伏可能に軸支されているので、片手での操作によって、簡単に注出ノズルの露出ひいては注出通路の開閉を可能にすることができる。
【図面の簡単な説明】
【００２１】
【図１】この発明の複合型容器を構成する包装袋の一実施形態を示す平面図である。
【図２】この発明の複合型容器の一実施形態を示す正面図である。
【図３】図２の複合型容器の側面図である。
【図４】（ａ）は、外容器上部の幅方向中央より反注出ノズル側位置にバタフライ片を設けた状態を示す部分正面図であり、（ｂ）は、外容器上部の反注出ノズル側の側端位置にバタフライ片を設けた状態を示す部分正面図である。
【図５】複合型容器にノズルピンチャーを設けた状態を示す正面図である。
【図６】（ａ）は、この発明の複合型容器に設けられるノズルピンチャーの一実施形態を示す正面図であり、（ｂ）は（ａ）のノズルピンチャーのＡ−Ａ方向からの端面図である。
【図７】この発明の複合型容器に用いられる開閉蓋を開放姿勢で示す斜視図である。
【発明を実施するための形態】
【００２２】
以下にこの発明の実施形態を図面に示すところに基づいて以下に説明する。
図１に示す包装袋１は、フレキシブルな包装袋本体２と、この包装袋本体２と連通するセルフシール逆止機能を有するフィルム状の注出ノズル３とを具えてなる。この注出ノズル３は、包装袋本体２の頂部から斜め上方へ突出させた姿勢で、注出ノズル３の基端部分の最外層のシーラント層を、包装袋本体２の内面のシーラント層に、たとえば融着接合させることにより包装袋本体２に一体化される。
【００２３】
ここで、この注出ノズル３は、たとえば、５〜４０μｍの厚みの一軸もしくは二軸延伸ＰＥＴベースフィルム層もしくはＮＹベースフィルム層と、この延伸ベースフィルム層を挟んで積層したそれぞれのシーラント層、たとえば５〜８０μｍの厚みの無延伸のＰＥ層もしくはＰＰ層との、多くは三層構造になる表裏のそれぞれの、平坦にして薄肉の積層フィルム、すなわち、輪郭形状がともに同一の表裏二枚の薄肉積層フィルム、または中央部等で表裏に折り返してなる一枚の薄肉積層フィルムを、一方のシーラント層の相互の対向姿勢で基端辺を除く周縁部分で、たとえばヒートシールによって、相互に融着接合等させて、中央部分に注出通路４を区画することによって構成することができる。なお、図示の注出ノズル３は、ノズル３の先端部分５を、たとえばＶ字状の折曲部６の位置で、引裂き除去等によって切除して、注出通路４に先端開口７を形成することができる。
【００２４】
このような包装袋１内に充填した液状の被包装物を注出するに当って、上記したように、注出ノズル３の先端部分５を引裂き除去して、注出ノズル３の注出通路４に先端開口７を形成した状態で、包装袋１を傾動させ、被包装物の水頭圧等によって注出通路４の内表面どうしを大きく離隔させて、先端開口７を開放させることにより、液状の被包装物の所要に応じた注出を行うことができる。この時、包装袋本体２が、被包装物の注出体積に応じて収縮ないしは潰れ変形するため、包装袋１内に外気を取り込むことなくその注出を行うことができる。
【００２５】
この一方で、被包装物の注出を停止するときは、包装袋１を起立復帰させる。このとき、注出通路４は、被包装物の水頭圧等から開放されるとともに、被包装物の包装袋本体２内への戻流による負圧の発生下で、元形状に復帰することに加え、その被包装物の薄膜の介在によって液状の被包装物に濡れた内表面どうしを、包装袋本体２内の減圧雰囲気のアシスト下で負圧吸着させて注出通路４を自動的に密閉封止させることができるため、包装袋１内への外気の侵入を阻止するセルフシール逆止機能を、注出ノズル３に自動的に発揮させることができる。
【００２６】
したがって、この包装袋１では、被包装物の注出前はもちろん、注出中および注出後のいずれにおいても外気との接触から十分に保護されることになり、袋内の被包装物の酸化、汚損等が有効に防止されることになる。
【００２７】
このようなセルフシール逆止機能を有する注出ノズル３を具える包装袋１において、上記したように注出ノズル３は、略湾曲形状からなり、包装袋本体２の頂部から斜め上方へ突出させた姿勢で設けられている。これにより、注出ノズル３の先端開口７の位置は、従来の包装袋本体の側部に突設されてなる包装袋の先端開口位置よりも高くなるため、被包装物を先端開口７から注出するためには、包装体１ａを従来よりも大きく傾動させることが必要となる。
【００２８】
そのため、上記包装体１ａにおいては、注出ノズル３の先端開口７の端面に沿った方向、即ち、被包装物が先端開口７の下端に沿って伝い落ちる方向の力が従来よりも小さくなり、注出された被包装物は、先端開口７を伝い落ちることなくそのまま、重力によってノズルの先端開口７から離脱し、滴下することになる。したがって、この包装袋１によれば、液切れ性がよく、被包装物が先端開口７に付着残留することや、液だれを発生するようなことがない。
【００２９】
また、被包装物の注出を停止させる際においても、被包装物を注ぎ出すために傾動させる角度（開始角度）と、注出を停止させる際の傾動角度（終了角度）とは略同等であることから、包装袋１を起立復帰させた際に、先端開口７付近から外に押し出された被包装物が、該先端開口７を伝い落ちることなくそのまま、先端開口７端面から離脱して滴下する。そのため、被包装物は、先端開口７に付着残留することがなく、液だれの発生を効果的に抑制することができる。
【００３０】
そして、注出ノズル３は、注出通路４の傾斜部４ａの延在部分の先端側（注出ノズル３の遊端部側）に、包装袋本体２の上端縁２ａと平行な水平部４ｂを有することが好ましく、包装体１ａの傾動によって注出通路４のノズル基端部３ａ側の傾斜部４ａに流れ込んだ被包装物は、該傾斜部４ａよりも狭幅で平行な水平部４ｂへと進入することで、整流化され、層流となって先端開口７へと向かうことになる。そのため、被包装物が注出ノズル３の先端開口７から不測の方向に飛び散るようなことがなく、また、液切れ性にも優れ、とくに、包装袋１の傾動角度を調節することで液状被包装物の吐出量を調整することができる。なお、被包装物の吐出流は、水平部４ｂの部分が長いほど整流化され、被包装物を目的とする方向に精度よく吐出させることができる。
【００３１】
本発明の複合型容器１０は、図２に一実施形態を示すように、上記構成を有する包装袋１と、この包装袋１に液状の被包装物を充填してなる包装体１ａを収納保持して、それに定型性および自立性を付与するための外容器１１とから構成され、該包装袋１の外面と外容器１１の内面が、包装袋１の注出ノズル３直下の側端縁を含むその近傍位置で接着されて一体化している。このように包装袋１と外容器１１との接着位置を最小限にすることで、注出ノズル３から被包装物を注出した際の、該注出ノズル３の逆止機能に基づく、包装袋本体２の収縮ないしは潰れ変形が円滑になりセルフシール逆止機能を有効に発揮することができる。
さらに、例えば、包装袋１内に液状の被包装物を充填した包装体１ａから被包装物を注出するために、複合型容器１０を注出ノズル３の先端が下方を向くように傾動したり、被包装物を混合させるために複合型容器１０をシェイク等しても、包装体１ａの注出ノズル３の直下位置が外容器１１に固定されているため、注出ノズル３の変形が阻止され、注出ノズル３が平坦な姿勢を保ち、吐出方向性や逆止機能が低下するおそれがない。
【００３２】
なお、外容器１１は、紙製、プラスチック製、金属製、陶器製、磁器製等とすることができ、下部１１ｂが正円形、楕円形等の丸型の底部１２を有する筒状であると共に、上部１１ａに向かって次第に扁平な形状（扁平上部１１ｃ）をなす。また、外容器１１は、図２に示すように注出ノズル３の位置する側に切欠き部１１ｄを有し、該切欠き部１１ｄから注出ノズル３が外部に露出するように構成されている。
【００３３】
外容器１１がプラスチック材料からなる場合には、ブロー成形や射出成形、真空成形等によって形成することができる他、１枚のプラスチックシートをまるめて円筒状の胴部を形づくり、その後、底板（丸型の底部１２）を嵌め合わせることにより形成してもよい。プラスチックシートを用いる場合には、発泡スチロールや発泡ポリプロピレン等からなるプラスチック製断熱シートを用いることができるため、該シートの断熱作用によって、例えば冷蔵した被包装物を複合型容器１０（包装袋１）内に充填しても、外容器１１に結露水が付着するようなことがない。このような複合型容器１０によれば、注出ノズル３の逆止機能によって包装袋１内の被包装物の汚損を抑制することができる一方、外容器１１が結露等の発生を抑制し、該複合型容器１０の内外に亘って衛生性を向上させることができる。
【００３４】
また、複合型容器１０は、下部位置において外容器１１の内径を、包装袋１内に液状物を充填した状態の包装体１ａの内径よりも小さくすることが好ましく、これによれば外容器１１内に包装体１ａを隙間なく密着させて収納することができるため、両者がしっかりと固定されることになり、包装体１ａの、外容器１１からのずれ落ちや移動を効果的に抑制することができる。
【００３５】
包装袋１と外容器１１との接着は、接着剤を用いる他、溶着によることが好ましい。なお、両者は直接、接着する他、外容器１１の少なくとも一方の側面の接着位置を一部切り込んで舌片状のバタフライ片８を起伏可能に形成し、該バタフライ片８を外容器１１内に押込んで、バタフライ片８内面と包装袋１の外面とを接着させることが好ましい。図３は、図２の実施形態の複合型容器１０を注出ノズル３側から見た側面図であり、外容器１１の両側面にバラフライ片８が設けられている。このようにバタフライ片８を用いた場合には、接着状態の自由度が高くなり、被包装物の吐出や注出ノズル３の逆止機能を阻害しないような位置での両者の接着が可能となる。したがって、形態の異なる筒状の外容器１１と平坦な包装袋１上部との接着も容易になり、両者をしっかりと接着固定することができ、包装袋１の外容器１１内への収納安定性を向上させることができる。
【００３６】
また、包装袋１と外容器１１とは、注出ノズル３の直下位置における接着に加えて、図４（ａ）に示すように包装袋１上部の幅方向中央より注出ノズル３から離れる方向に寄った位置（反ノズル側位置）や、図４（ｂ）に示すように包装袋１上部の注出ノズル３の反対側の側端部位置で接着することが好ましく、これによれば包装袋１内に液状物を充填した包装体１ａの外容器１１内でのずれ落ちや移動をさらに効果的に抑制することができると共に、注出ノズル３の変形や、包装体１ａ上部の折れ曲がりやシワの発生を有効に抑制することができる。そのため、注出ノズル３の逆止機能が阻害されることがなく、また袋内の被包装物の流路が確保されてその全量を最後まで安定して吐出させることができる。
【００３７】
複合型容器１０においては、上記したように下部位置における包装体１ａの内径が、外容器１１の内径よりも大きいことが好ましいが、包装袋１の包装袋本体２が図１に示すような長方形からなる場合、包装体１ａの上端部の横幅が、外容器１１の扁平上部１１ｃの横幅よりも大きくなる可能性がある。この包装体１ａを無理に外容器１１内に収納しようとすると、包装体１ａ上部の平坦なフィルム部分にシワが発生して被包装物の流路を閉塞したり、注出ノズル３の注出通路がフラットな姿勢を保つことができず、逆止機能が阻害されるおそれがある。
そのため、図２および図４（ａ）に示すように外容器１１の注出ノズル３位置とは反対側の側端縁上部にスリット９を設け、該スリット９から包装体１ａの上角部の余剰部分を引き出すこと、さらには、スリット９から引き出した該余剰部分を、外容器１１の側面側に折り曲げて貼付等し、包装体１ａ上部の折れ曲がりやシワの発生を抑制することが好ましい。
【００３８】
さらに図５に示す他の実施形態の複合型容器１０においては、外容器１１の扁平上部１１ｃの、収納した包装体１ａの注出ノズル３が位置する側にノズルピンチャー１３および開閉蓋１４を有する。このノズルピンチャー１３は、外容器１１の切欠き部１１ｄから突出した注出ノズル３を両側面から挟むように設けると共に、該ノズルピンチャー１３を、外側から覆うように、たとえばプラスチック製の起伏可能な開閉蓋１４をヒンジ連結等によって設ける。
【００３９】
なお、ノズルピンチャー１３は、図５および図６（ａ）に示すように注出ノズル３の上端部分を挟む表裏一対の水平サポート部１３ａと、注出ノズル３の注出通路４を横切るように挟む表裏一対の縦挟持部１３ｂとから構成されてなり、たとえばプラスチック製の２枚のシートを表裏に重ね合わせて、または１枚のシートを中央部で２つに折り曲げて形成することができる。
【００４０】
このノズルピンチャー１３は、図５に示すように切欠き部１１ｄの上端部に設けた凹部１６に一端部を嵌め入れると共に、ヒンジ孔１５にピン等を嵌め入れて係止することで扁平上部１１ｃに連接することが好ましく、これによれば、ノズルピンチャー１３を扁平上部１１ｃに簡単かつ堅固に取り付けることができる。
【００４１】
このとき、ノズルピンチャー１３は、水平サポート部１３ａの、注出ノズル３の先端側の端部が注出ノズル３の開口予定位置である折曲部６の近傍に位置するように配置することが好ましい。これにより、注出ノズル３の折れ曲がりを効果的に抑制することができると共に、水平サポート部１３ａによって注出ノズル３を押えながら、折曲部６を始点として引裂き開封することができるため、衛生性に優れると共に、簡単かつ正確に引裂き開封することが可能になり、液だれの発生を有効に阻止することができる。
【００４２】
さらに、縦挟持部１３ｂは、注出ノズル３の基端部３ａ側の包装袋本体２の上端縁２ａから斜め上向きに突出する傾斜部４ａと、引裂き開口部を含むその傾斜部４ａの延在位置である遊端部側の水平部４ｂとの境界近傍に位置させることが好ましい。この場合には、後述するように開閉蓋１４によってノズルピンチャー１３を締め付けた際に、該縦挟持部１３ｂによって注出通路４をしっかりと挟持して完全に密閉することができるだけでなく、複合型容器１０を倒した状態で保管等しても、縦挟持部１３ｂによって注出ノズル３の水平部４ｂ内への液状被包装物の進入を阻止することができる。そのため、水平部４ｂが膨らむ向きに永久変形することがなく、注出ノズル３の注出通路４内表面同士は常に平坦な状態を保ち、該内表面同士の相互の密着によるセルフシール逆止機能が阻害されるおそれがない。
【００４３】
一方、開閉蓋１４は、図７の斜視図に示すように一対の板状の壁面１４ａを有し、該壁面１４ａの相互間には、ノズルピンチャー具１３、扁平上部１１ｃおよび注出ノズル３を嵌め入れて格納するための溝部１４ｂが設けられている。
この一対の壁面１４ａによって構成される溝部１４ｂは、ノズルピンチャー１３、扁平上部１１ｃおよび注出ノズル３を嵌め入れた際に、一対の壁面１４によってノズルピンチャー１３を押圧し、これによってノズルピンチャー１３の縦挟持部１３ｂを介して注出ノズル３の両側面を締め付けて注出通路４を完全に密閉できるように構成する。
【００４４】
図７では、開閉蓋１４が、ノズルピンチャー１３を扁平上部１１ｃに固定するためのピン１７を利用して起伏可能に軸支連結されているが、該開閉蓋１４は、ノズルピンチャー１３を介して注出ノズル３を締め付け、解放できる機能を有すればよく、たとえば挟持クリップタイプのものや、扁平上部１１ｃにレール溝等を設けてスライド可能にしたもの等、各種の挟持具を用いることができる。
【００４５】
上記実施形態の複合型容器１０によれば、ノズルピンチャー１３によって、収納した包装体１ａの注出ノズル３は、その上端部（水平サポート部１３ａ）および両側面（縦挟持部１３ｂ）から支持されることになり、液状の被包装物の注出時のみならず、注出前後においても折れ曲がりが抑制され、とくに被包装物の注出時においては注出ノズル３が上下左右に振れるのを抑制することができるため、被包装物の吐出方向性（指向性）を向上させることができる。
【００４６】
また、開閉蓋１４の溝部１４ｂに、扁平上部１１ｃ、ノズルピンチャー１３および注出ノズル３を嵌め入れて閉止姿勢にすると、注出ノズル３の外部への露出が阻止されるため、取り扱い時や保管時等における衛生性を向上させることができると共に、開閉蓋１４による押圧によって、注出ノズル３の注出通路４は、ノズルピンチャー１３の縦挟持部１３ｂを介して締め付けられて、密閉されるため、注出ノズル３の注出通路４に先端開口７が形成されていると否とにかかわらず、複合型容器１０が過って倒れたり、液状の被包装物を混合するためにシェイク等しても、その被包装物の意図しない漏出を十分に防止することができる。
【００４７】
なお、ノズルピンチャー１３は、図６（ｂ）に示したように、開閉蓋１４による締め付けを解放した時の端面形状が、ハの字を呈するような上すぼまりの形状であることが好ましい。この場合には、開閉蓋１４の溝部１４ｃ内へのノズルピンチャー１３の嵌め入れが容易であると共に、注出ノズル３がノズルピンチャー１３によって何ら影響を受けることがなく、スムーズな注ぎ出しが可能であり、また開閉蓋１４によってノズルピンチャー１３を上方から下方に向かって徐々に挟み込んで締め付けることができる。そのため、注出ノズル３の注出通路４内に液状被包装物が残留していたとしても、開閉蓋１４を閉止姿勢にした際に、該液状被包装物の多くは、ノズルピンチャー１３による締め付けに伴って下方（包装袋本体２側）に向かって押し出されるため、ノズル先端開口７から液状被包装物が飛び散って周囲を汚損するおそれが低い。また、開閉蓋１４の締め付け位置によって注出ノズル３の押圧力を調整して被包装物の吐出量を調整することもできる。
【００４８】
上記構成からなる複合型容器１０においては、まず、包装袋１内に液状の被包装物を自動充填機等を用いて充填包装して包装体１ａを製造した後、該包装体１ａを外容器１１の開放された上端部から落し込み、次に、包装体１ａの注出ノズル３の直下位置と、外容器１１の外面とを直接または、上記したように外容器１１の側面に設けたバラフライ片８を介して接着して両者を固定する。
なお、包装体１ａと外容器１１は、注出ノズル３の直下位置のみならず、複合型容器１０上部の幅方向の中央より注出ノズル３とは反対の方向に寄った位置や、注出ノズル３の反対側の側端に近い位置で接着固定させてもよい。
【００４９】
上記のように包装体１ａを、外容器１１の上端部から落とし込んで収納する際には、包装体１ａ下部を外容器１１に向かって吸引することが好ましく、包装体１ａの外容器１１内への収納作業が効率的になると共に、上記のように包装体１ａの内径が、外容器１１の内径よりも大きい場合にも簡単に、かつ包装体１ａの下部位置が外容器１１内にしっかりと密着、固定するように収納することができる。
【００５０】
また、複合型容器１０は、外容器１１の上端部から包装体１ａを収納した後、外容器１１の上端部をシールすることなくシュリンク包装して使用形態とする他、外容器１１の上端縁を注出ノズル３が位置する切欠き部１１ｄを除いて全幅にわたってシールすることや、点付けして部分的にシールすることが好ましい。
【符号の説明】
【００５１】
１  包装袋    
１ａ  包装体    
２  包装袋本体    
２ａ  上端辺    
３  注出ノズル    
３ａ  ノズル基端部    
４  注出通路    
４ａ  傾斜部    
４ｂ  水平部    
５  先端部分    
６  折曲部    
７  先端開口    
８  バタフライ片    
９  スリット    
１０  複合型容器    
１１  外容器    
１１ａ  上部    
１１ｂ  下部    
１１ｃ  扁平上部    
１１ｄ  切欠き部    
１２  底部    
１３  ノズルピンチャー    
１３ａ  水平サポート部
１３ｂ  縦挟持部    
１４  開閉蓋    
１４ａ  壁面    
１４ｂ  溝部    
１５  ヒンジ孔    
１６  凹部    
１７  ピン
【図１】
0006384962.tif 000002
【図２】
0006384962.tif 000003
【図３】
0006384962.tif 000004
【図４】
0006384962.tif 000005
【図５】
0006384962.tif 000006
【図６】
0006384962.tif 000007
【図７】
0006384962.tif 000008